(57)【要約】      （修正有）【課題】発汗や蒸れが発生して滞留しがちなカップ内やバスト谷間の通気性の向上と、バストの保形性の確保を両立するハーフトップを提供する。【解決手段】バストを被覆する一対のカップ部１と、該カップ部１の下辺のバスト中央寄りに縫着される中央土台部２と、カップ部１の下辺のうち前記中央土台部２の両端から脇下にかけて縫着される左右土台部３を備えたハーフトップであって、前記カップ部１はカップ本体とその表側に縫着された身生地および第１メッシュ部１２からなる表生地からなり、それらのうち第１メッシュ部１２はカップ部下辺から所定の幅で設けられ、さらに、前記中央土台部２には第２メッシュ部２１が設けられたことを特徴とするハーフトップ。【選択図】図１
0003183507.tif 000002
【実用新案登録請求の範囲】
【請求項１】
バストを被覆する一対のカップ部と、該カップ部の下辺のバスト中央寄りに縫着される中央土台部と、カップ部の下辺のうち前記中央土台部の両端から脇下にかけて縫着される左右土台部を備えたハーフトップであって、前記カップ部はカップ本体とその表側に縫着された身生地および第１メッシュ部からなる表生地からなり、それらのうち第１メッシュ部はカップ部下辺から所定の幅で設けられ、さらに、前記中央土台部には第２メッシュ部が設けられたことを特徴とするハーフトップ。
【請求項２】
前記第２メッシュ部の裏側にはテープ部が左右のカップ部に架け渡して設けられていることを特徴とする請求項１に記載のハーフトップ。
【請求項３】
前記第１メッシュ部はカップ部の下辺からの幅が５ｍｍ〜４０ｍｍの範囲に設けられていることを特徴とする請求項１または２のいずれかに記載のハーフトップ。
【請求項４】
前記カップ本体が、不織布カップもしくは多孔性素材で形成されたモールドカップであることを特徴とする請求項１ないし３のいずれか１項に記載のハーフトップ。
【請求項５】
各部位の通気性の関係が、前記左右土台部＜前記カップ部＜前記中央土台部であり、且つ、前記身生地＜前記第１メッシュ部であることを特徴とする請求項１ないし４のいずれか１項に記載のハーフトップ。
【請求項６】
前記カップ部の身生地もしくは前記左右土台部のいずれか一方が、あるいはその両方が、相変化物質を内包するマイクロカプセルを樹脂バインダーと共に表面に配した繊維を使用したことを特徴とする請求項１ないし５のいずれか１項に記載のハーフトップ。
【考案の詳細な説明】
【技術分野】
【０００１】
本考案は、女性用の下着であるハーフトップに関する。
【背景技術】
【０００２】
従来、女性用の下着であるハーフトップにおいて、着用時の発汗や蒸れが発生することが問題として認識されていた。
【０００３】
その点、特許文献１では、胸の谷間の汗を吸収することができる吸汗部材をバストの谷間部分に設けたブラジャーが開示されている。また、特許文献２および３では、カップ部と土台部の境界部分にメッシュ生地を介在させたブラジャーが開示されている。
【０００４】
しかしながら、特許文献１に開示されたものは、吸汗効果はあるものの蒸れについては解消されておらず、特許文献２および３に開示されたものは、もっぱらカップ部と土台部の境界部分にあたるいわゆるバージスライン付近においてのみ通気性が向上しているため、その他のカップ部内やバスト谷間の土台部については蒸れが十分に解消していなかった。
【０００５】
そこで、通気性を向上させるためにメッシュ生地部分の範囲を広くすることが考えられるが、かかるメッシュ生地部は緊締力が弱いため、バストの保形性が損なわれるおそれがある。とりわけ、ハーフトップは運動用の下着として着用されることも多いため、通気性とバストの保形性の両立は重要である。
【先行技術文献】
【特許文献】
【０００６】
【特許文献１】特開２０１１−２３６５３１
【特許文献２】特開２０１１−９９１７６
【特許文献３】特開２００９−５７６４２
【考案の概要】
【考案が解決しようとする課題】
【０００７】
本考案は、従来のハーフトップのかかる欠点を克服し、発汗や蒸れが発生して滞留しがちなカップ内やバスト谷間の通気性の向上と、バストの保形性の確保を両立するハーフトップを提供することをその課題とするものである。
【課題を解決するための手段】
【０００８】
本考案は、上記課題を解決するものであり、バストを被覆する一対のカップ部と、該カップ部の下辺のバスト中央寄りに縫着される中央土台部と、カップ部の下辺のうち前記中央土台部の両端から脇下にかけて縫着される左右土台部を備えたハーフトップであって、前記カップ部はカップ本体とその表側に縫着された身生地および第１メッシュ部からなる表生地からなり、それらのうち第１メッシュ部はカップ部下辺から所定の幅で設けられ、さらに、前記中央土台部には第２メッシュ部が設けられたことを特徴とするハーフトップである。
【考案の効果】
【０００９】
本考案のハーフトップは、着用時にバスト谷間に位置する中央土台部にメッシュ部を設け、バスト谷間の蒸れを解消すると共に、左右カップ部は通気性に優れたカップ本体と表生地の２層とし、かかる表生地のうち、バージスライン近傍に位置するカップ下辺から所定の幅にメッシュ部を設けることにより、カップ部内の通気性を向上するものである。
【００１０】
また、本考案のハーフトップは、バスト部をカップと表生地の２層にすることに加え、バスト間に伸び止め防止テープを連結することにより、バストの保形性を確保することができる。
【図面の簡単な説明】
【００１１】
【図１】本考案に係るハーフトップの正面図。
【図２】本考案に係るハーフトップの中央土台部の背面図。
【考案を実施するための形態】
【００１２】
以下、本考案のハーフトップの一実施態様について、図面に基づいて具体的に説明する。なお、本考案はこれら実施態様に何ら制約されるものではない。
【００１３】
図１は本考案に係るハーフトップの正面図、図２は本考案に係るハーフトップの中央土台部の背面図である。図中、１はカップ部、２は中央土台部、３は左右土台部、４は肩紐、１１はカップ部下辺、１２は第１メッシュ部、１３は身生地、２１は第２メッシュ部、２２はテープ部をそれぞれ示す。
【００１４】
各図に示すように、本考案にかかるハーフトップは、バストを被覆する左右のカップ部１と、カップ部下辺１１のうち胸の谷間にあたるバスト中央寄りに縫着される中央土台部２と、カップ部下辺１１のうち中央土台部２の両端部から脇下へかけて縫着され背中へと延設された左右土台部３により胸回りを被覆すように形成されている。また、カップ部１の頂部からは一対の肩紐４が背中側の左右土台部３へと連設されている。なお、左右土台部３は中央土台部２との縫着部から両脇下を経て、背中へと連続して一体形成してもよいが、背中側の部位に関しては別に生地を設けて左右土台部３の端部と脇下等で連接してもよい。
【００１５】
以下、各部位について詳述する。本考案のハーフトップのカップ部１は、通気性に優れたカップ本体と、かかるカップ本体の表側に縫着された表生地の２層からなる。かかる表生地は、カップ部下辺１１より所定の幅で設けられた第１メッシュ部１２と、その他の部分に設けられた身生地１３により構成されている。かかる第１メッシュ部１２は、カップ部下辺１１からの幅が５ｍｍ〜４０ｍｍの範囲になるように帯状に設けることが好ましい。この範囲が５ｍｍ未満の場合、通気性が低くなって発汗抑制や蒸れ解消の効果が損なわれるおそれがあり、４０ｍｍを超える場合、表生地全体の強度が弱まってバストの保形性機能が損なわれるおそれがあるためである。なお、かかる範囲内であれば、その幅は必ずしも一定でなくともよい。このように、カップ部１はモールドカップと表生地の２層構造によりバストの保形性を確保するとともに、第１メッシュ部１２により、バージスライン近傍の通気性のみならずカップ部１内の蒸れも解消することができる。なお、カップ本体の素材としては、通気性に優れた不織布カップや多孔性素材で形成されたモールドカップを好適に使用することができる。
【００１６】
胸の谷間にあたる部分に設けられた中央土台部２は、第２メッシュ部２１と第２メッシュ部２１の裏側に設けられたテープ部２２からなる。テープ部２２は中央土台部２の１／３ないし１／２程度の高さに形成され、中央土台部２の上端にその上端を揃えて左右のカップ部１に架け渡して縫着されており、これによりバスト間の伸びを防止する。かかるテープ部２２には横伸びが少ない素材が好ましく、綿天竺、Ｔ／Ｃ天竺、マーキゼット等の組織を好適に使用することができる。このように、中央土台部２にメッシュ編地を用いることによりバスト谷間の蒸れを効果的に解消することができ、さらに、横伸びが少ないテープ部２２をカップ部１の間に設けることにより、バストの保形性を維持することができる。
【００１７】
カップ部１の身生地１３と左右土台部３に使用される素材は特に限定されず、ともに異なる素材で構成しても良いが、同一のものとしても良く、例えば、ナイロン、ポリエステルなどの合成繊維系糸とポリウレタン系弾性糸のサテン編地を好適に使用することができる。また、第１メッシュ部１２と第２メッシュ部２１に使用される素材は特に限定されず、ともに異なる素材で構成しても良いが、同一のものとしても良く、例えば、ナイロン、ポリエステルなどの合成繊維系糸とポリウレタン系弾性糸のメッシュ編地を好適に使用することができる。さらに、これらの素材として、ナイロン、ポリエステルなどの合成繊維系糸に吸水速乾糸として異形断面フィラメントを使用してもよい。以上の各部位の通気性の関係は、左右土台部３＜カップ部１＜中央土台部２とし、さらに、カップ部１の第１メッシュ部１２と表生地１３の関係では、身生地１３＜第１メッシュ部１２とすることが好ましい。
【００１８】
さらに、カップ部１の身生地１３もしくは左右土台部３のいずれか一方の素材として、あるいはその両方の素材として相変化物質を内包するマイクロカプセルを樹脂バインダーと共に表面に配した繊維を使用しても良い。かかる相変化物質としては、例えば、温度２０〜４５℃で液相から固相または固相から液相へと相変化するn-パラフィンを好適に使用することができる。これにより、使用者の体温や外気温に対応して常に最も好ましい温度を維持することができ、運動や急な外気温上昇に伴う蒸れや発汗を抑えることができて好ましい。
【符号の説明】
【００１９】
１……カップ部
２……中央土台部
３……左右土台部
４……肩紐
１１……カップ部下辺
１２……第１メッシュ部
１３……身生地
２１……第２メッシュ部
２２……テープ部
【図１】
0003183507.tif 000003
【図２】
0003183507.tif 000004